(57)【要約】【課題】外側ポール内に侵入して溜まった異物を簡単に除去できるとともに、基準面を正確に設定でき、かつ生産時や修理時に道具や工具を使用せずに相手部品に組み付けることができる測量用伸縮ポールを提供する。【解決手段】  ジョイント４は、内側カラー６と、外側カラー７とを備え、内側カラー６は、外側ポール２の上端部外周に外嵌め可能な内径を有し、外周には外ネジ６１が設けてある。内側カラー６には軸方向のスリット６２が全長に沿って設けられている。外側ポール２の上端部外周の所定位置には、係合凹所しての円形穴２２が設けてある。外側カラー７は、筒状部７１と、筒状部の上端に設けられた内周縁部７２とからなる。筒状部７１の内周には、内側カラー６の外ネジ６１に螺合する内ネジ７３が形成され、内周縁部７２の内周は、内側ポール３が挿通できる内径となっている。内周縁部７２の上面が基準面７４を構成する。【選択図】図２
2017009543.tif 000002
【特許請求の範囲】
【請求項１】
一端が閉じ他端が開口した筒体からなる外側ポールと、その外側ポール内にスライド自在に収容されるとともに目盛が付された内側ポールと、前記外側ポールの開口端部に取り付けられたジョイントとを備えた測量用伸縮ポールにおいて、
前記ジョイントは、前記外側ポールの端部に着脱可能に外嵌されるとともに外周ネジを有する内側カラーと、前記外周ネジに螺合する内周ネジを有し、端部が基準面となっている外側カラーとからなり、外側カラーの螺合を締めることにより前記内側カラーを縮径させて外側ポールの上端部に固定でき、外側カラーの螺合を緩めることによりて取り外し可能となることを特徴とする測量用伸縮ポール。
【請求項２】
請求項１に記載の測量用伸縮ポールにおいて、
前記外側ポールの上端部の所定位置に設けた係合用凹所または係合用凸所の一方と、前記内側カラーの内周に設けた係合用凹所または係合用凸所の他方との係合により、前記外側ポールの端部と前記内側カラーとの位置決めができることを特徴とする測量用伸縮ポール。
【請求項３】
請求項１または請求項２のいずれか１に記載の測量用伸縮ポールにおいて、前記内側カラーと外側カラーとには、ネジ込みの終了点を設定するための係止機構が設けられていることを特徴とする測量用伸縮ポール。
【発明の詳細な説明】
【技術分野】
【０００１】
本発明、伸縮自在な測量用ポールに関わり、長期間の使用を可能にしたジョイントの改良に関する。
【背景技術】
【０００２】
測量用伸縮ポールは、外側ポールに内側ポールをスライド自在、かつ回動自在に挿入して、外側ポールの上端部にはジョイントを固着などにより取り付けている。内側ポールには、伸縮した位置（高さ）を決めるための目盛が付されており、上端には光波測距儀で測定するためのミラーが設置される。また、内側ポールの下端には、内側ポールを適宜回動させると任意の位置で外側ポールに固定でき、任意のスライド量を確定する固定機構が内装されている。
【０００３】
ジョイントは、端面が内側ポールに付された目盛を読むための基準面を形成しており、内側ポールが外側ポールから抜け出ないためのストッパーを構成している。このため、ジョイントを外側ポールの上端部から取り外さないと、外側ポールと内側ポールとを分離できないのが一般的である。
【従来技術】
【０００４】
図５に示すように、従来の測量用伸縮ポール１００では、ジョイント１０４は、樹脂製の筒体であり、外側ポール１０２の上端部に接着、嵌着などにより固着されている。このため、使用により、内側ポール１０３の表面に付着した砂、ゴミなどの異物が外側ポール１０２内に入り込み、何度も使用していると内側に溜まり、円滑な伸縮操作が困難になったり、内側ポール１０３の表面の塗装が汚れたり、内側ポール１０３に付けた目盛１３２が削られて視認性が低下するなど問題が生じている。
【０００５】
また、公開実用新案公報  昭６２−１０６１６に記載の場合は、ジョイントとして、カラー体を外側ポールの端部に螺合している。この場合は、外側ポールから内側ポールを引き抜くことは可能であるが、ネジの締めつけの強弱で端面の位置が変化し、基準面の設定が変動するという問題がある。
【０００６】
【先行技術文献】
【特許文献】
【０００７】
【特許文献１】公開実用新案公報  昭６２−１０６１６
【０００８】
【発明の概要】
【発明が解決しようとする課題】
【０００９】
本発明の目的は、外側ポール内に侵入して溜まった異物を簡単に除去できるとともに、基準面を正確に設定できる測量用伸縮ポールの提供にある。
【課題を解決するための手段】
【００１０】
（請求項１について）
ジョイントは、外側ポールの端部に着脱可能に外嵌されるとともに外周ネジを有する内側カラーと、外周ネジに螺合する内周ネジを有し、端部が基準面となっている外側カラーとからなり、外側カラーの螺合を締めることにより内側カラーと螺合して外側ポールの上端に固定でき、外側カラーの螺合を緩めることにより取り外し可能となっている。
【００１１】
これにより、ジョイントを緩めることで取り外しが可能となるので、外側ポールから内側ポールを引き抜いて、内部を清掃することが容易にできる。また清掃後の組み立ても単にねじ込むだけで装着ができ、即使用可能となるので、実用的である。この結果、長期間最適な状態で測量用伸縮ポールを使用できる。
【００１２】
（請求項２について）
外側ポールの端部の所定位置と内側カラーとを、いずれか一方に設けた凸部と、いずれか他方に設けた凹部との回転方向への係合により、位置決めができる。
【００１３】
これにより、内側カラーを外側ポールの所定の位置に正確に設定できるので、ジョイントと外側ポールとを強固に連結できる
【００１４】
（請求項３について）
内側カラーと外側カラーとには、ネジ込みの終了を設定するための係止機構が設けられている。
これにより、外側カラーを内側カラーに螺合する際の最終位置が、所定の締めつけトルクによって、一義的に確定でき、正確な基準面の設定が容易にできる。また、締め過ぎによるネジの変形や破損、および締め不足によるジョイントのガタつきを確実に防止できる。
【図面の簡単な説明】
【００１５】
【図１】測量用伸縮ポールの全体を示す正面図である。（実施例１）
【図２】ジョイントの一部断面図である。（実施例１）
【図３】ジョイントの組付分解斜視図である。（実施例１）
【図４】ジョイントの組付分解斜視図である。（実施例２）
【図５】従来の測量用伸縮ポールのジョイントの一部断面図である。
【発明を実施するための形態】
【００１６】
外側ポールと、その外側ポール内にスライド自在に収容されるとともに目盛が付された内側ポールと、外側ポールの開口端部に取り付けられたジョイントとを備える。ジョイントは、外側ポールの端部に着脱可能に外嵌されるとともに外周ネジを有する内側カラーと、その外周ネジに螺合する内周ネジを有し、端部が基準面となっている外側カラーとかなる。外側カラーの螺合を締めることにより内側カラーを縮径させて外側ポールに固定し、外側カラーの螺合を緩めることによりて取り外し可能となっている。
【実施例】
【００１７】
（実施例１）
本発明の実施例１（請求項１）に係る測量用伸縮ポールを、図１から図３に基づいて説明する。
図１に示すように、測量用伸縮ポール１は、金属製筒からなる外側ポール２と、外側ポール２内にスライド自在および回動自在に収容されている内側ポール３を備えている。
【００１８】
外側ポール２は、使用時に測量地点に垂直に立てて使用され、下端となる一端に円錐状の石突２１が固定されている。使用時に上端となる他端には、この考案の要旨であるジョイント４が着脱可能に設置されている。
【００１９】
内側ポール３は、この実施例では金属筒体であり、外側ポール２を上方にスライド（引き抜く）することで全長を長くし、下方にスライド（押し込む）することで全長を短くして、目盛高さ（位置）を可変にする。内側ポール３を外側ポール２に対し回動させることにより、内側ポール３を固定できる公知のロック機構５が設けられている。
【００２０】
また、内側ポール３には、平面３１がほぼ全長に沿って設けられ、このミリ単位の目盛３２が付されている。外側ポール２と内側ポール３との間には、スライドを円滑にするための樹脂筒１１が挿入されている。また、樹脂筒１１は、内側ポール３の抜け止めの機能を有するとともに、内側ポール３の傾きを防止し振れ止めとしての作用を有する。
【００２１】
ロック機構５は、内側ポール３の先端（図示下端）に逆Ｕ字状の弾性体５１を回動中心に対し所定の偏心量を設けて、ピン止めされた構造であり、内側ポール３を所定の角度だけ回動させると、弾性体５１の外周が外側ポール２の内周に圧接してロックする。そして、スライドを固定する。また、逆に、内側ポール３を反対側に所定の角度だけ回動させるとアンロックされ、スライド可能となる。
【００２２】
ジョイント４は、図２、図３に示す如く、内側カラー６と、外側カラー７とからなる。内側カラー６は、樹脂製の筒状体であり、外側ポール２の上端部外周に外嵌め可能な内径を有し、外周には外ネジ６１が設けてある。また、内側カラー６の側面には軸方向に沿ったスリット６２が全長に沿って設けてある。このスリット６２は、筒体に割りを入れることであり、割りを入れた筒体が容易に拡径でき、嵌合対象である外側ポール２の外形と容易に組み付けできる役目を有する。外側カラー７は、内側カラー６に螺合されて使用され、ジョイント４を構成している。
【００２３】
外側ポール２の上端部外周の所定位置には、係合凹所としての円形穴２２が設けてある。この実施例では円形穴２２は背向位置に２個設けてあるが、個数、形状は他の形状、構造のものでもよい。内側カラー６の内周には、円形穴２２、２２と係合する係合凸所としての突起６４、６４が形成されている。この結果、内側カラー６は、外側ポール２の上端部の所定位置に正確に係止されるようになっている。なお、係合凹所を内側カラー６の内周に設け、係合凸所を外側ポール２の上端部外周の所定位置に設けてもよい。
【００２４】
外側カラー７は、筒状部７１と、筒状部の上端に設けられた内周縁部７２とからなる。筒状部７１の内周には、内側カラー６の外ネジ６１に螺合する内ネジ７３が形成され、内周縁部７２の内周は、内側ポール３が挿通できる内径となっている。内周縁部７２の上面は平面であり、基準面を構成する。
【００２５】
ジョイント４の組み付けは、内側カラー６を外側ポール２の上端部外周に外嵌めして、円形穴２２、２２に突起６４、６４を係合させる。このとき、内側カラー６の上端面と外側ポール２の上端とが一致するように設定されている。外側カラー７の内周縁部７２の厚さが設定されており、外側カラー７を完全に内側カラー６にねじ込んだとき、図２に示すように、内周縁部７２の下面に外側カラー７の内ネジ７３の内ネジのない逃がし部７５を設けているので、下面が内側カラー６もしくは外側ポール２の上端面に当接する。これにより、内周縁部７２の上面は基準面として正確に設定される。
【００２６】
ジョイント４の取り外しは、外側カラー７を螺合を緩める方向に回動させ、内側カラー６から分離し、内側カラー６を外側ポール２の上端部から外すことにより、容易に行える。ジョイント４を内側ポール２の上端部から外し、外側ポール２から内側ポール３を引き抜くことで、両者を分離でき、外側ポール２の内部の清掃が容易にできる。清掃後に再組み付けすれば、新品同様に使用でき、定期的に繰り返すことにより長期間最適な状態で使用できる。
【００２７】
（実施例２）
図４は他の実施例にかかるジョイント４を示す。実施例１と同一機能物は同一の符号を使用する。この実施例では、実施例１の内側カラー６の外ネジ６１の代わりに、リード角の大きい２条ネジ６５を用いている。２条ネジは通常の１条ネジに較べ１回転当たりの進む距離（リード）が大きく取れ、少ない回転角で締結を完了できる。
【００２８】
内側カラー６の外周側に雄ねじが１山分、つまり３６０度螺旋に巻かれるように形成され、さらに半ピッチずれて同様に雄ねじが１山分、つまり３６０度螺旋に巻かれて、２条外ネジが形成され、対をなす２条外ネジが形成されている。
また、外側カラー７は、同様に、２条内ネジが設けられ、雌ねじ１山分、つまり３６０度螺旋に形成され、対をなす２条ネジが形成されている。そして、１回転で所定のリード分移動進む構造となっている。
【００２９】
さらに、この実施例では、請求項３にかかる係止機構８を設けている。係止機構８は、内側カラー６の下端部外周に並行して設けた図示縦方向の凸条８１、８１と、外側カラー７の下端部内周に並行して設けた凹溝８２、８２とから構成される。
【００３０】
この係止機構８は、外側カラー７を内側カラー６にねじ込んで、締結完了の時点を明確に使用者に認知させる。すなわち、凹溝８２、８２が凸条８１、８１が嵌まり込んで係合したときが締めつけの最終時点であり、使用者はこれ以上のネジ込み操作を停止する。  この係止機構８は、過度のねじ込みによるネジ部の疲労を防止して耐久性を向上させるとともに、ねじ込み不足によるガタつきや基準面の設定の不正確を防止できる。
【００３１】
この実施例では、次の効果がある。
外側カラーを１回転の少ないら螺合操作で着脱でき、組み付けが簡単かつ迅速にできる。また、係止機構８を有するので、締めの終点を確実に認識でき、過剰なネジ込みや、ネジ込み不足を確実に防止できる。
なお、係止機構８の構造は、上記の凸条と凹溝の組み合わせ以外であってもよく、逆に凹部と凸部との組み合わせ、凸部と凸部との組み合わせなど、各種の係合構造が使用できる。
【符号の説明】
【００３２】
１  測量用伸縮ポール
２  外側ポール
３  内側ポール
４  ジョイント
５  ロック機構
６  内側カラー
７  外側カラー
８  係止機構
【図１】
2017009543.tif 000003
【図２】
2017009543.tif 000004
【図３】
2017009543.tif 000005
【図４】
2017009543.tif 000006
【図５】
2017009543.tif 000007